(57)【要約】【課題】  紙葉類裁断装置の目詰まりが発生しにくい紙葉類裁断装置を提供する。【解決手段】  駆動用モータ６１４を駆動することによりその駆動力がタイミングベルトＡ６１３により裁断刃６１１に伝達される。回転軸６１１Ａの略中央に電磁クラッチ・ブレーキ６１７が備えられており、裁断軸第１プーリ６１１Ｂは電磁クラッチ・ブレーキ６１７の入力の軸と連動しており、出力側の軸には裁断軸第２プーリ６１１Ｃが接続されており、この裁断軸第２プーリ６１１Ｃと、タイミングプーリ６２１ＡはタイミングベルトＢ６２０により連結されており、駆動用モータ６１４が回転することにより裁断刃６１１、６１２が紙葉類Ｐを裁断すると共に紙葉類Pを裁断する方向に搬送する。電磁クラッチ・ブレーキ６１７のオン／オフによって一時的に搬送ベルト６２２と裁断刃６１１、６１２の連動を分離し、裁断刃６１１、６１２を単独で正転又は逆転制御し目詰まりを防止する。【選択図】  図３
2007252980.tif 000002
【特許請求の範囲】
【請求項１】
紙葉類が一括して供給された供給部から１枚ずつ取り出して搬送し前記紙葉類を判別する紙葉類判別手段と、この紙葉類判別手段による判別結果に基づいて前記紙葉類を区分する区分手段と、この区分手段によって区分された紙葉類の枚数を計数する計数手段と、前記区分手段によって区分された紙葉類を裁断する紙葉類裁断装置を備えた紙葉類処理装置であって、
前記紙葉類判別手段は、
前記紙葉類を少なくとも再流通可能な第１の紙葉類と再流通不可能な第２の紙葉類に判別する判別機能を備え、
前記区分手段は、
前記第２の紙葉類を区分し前記紙葉類裁断装置に搬送するための分岐ゲートを備え、
前記紙葉類裁断装置は、
前記分岐ゲートによって分岐された前記第２の紙葉類を、円盤状刃を正転することによって裁断する裁断手段と、
この裁断手段の回転軸を正転又は反転駆動する駆動モータと、
この駆動モータの駆動力を伝達する第１の伝達手段と、
この第１の伝達手段によって前記裁断手段の回転軸に伝達された駆動力を外部に伝達するために前記裁断刃の回転軸を入力軸に連結した電磁クラッチ・ブレーキと、
この電磁クラッチ・ブレーキの出力軸に連結された回転軸の駆動力を前記分岐ゲートによって分岐された前記第２の紙葉類を前記裁断手段に搬送する搬送手段に伝達する第２の伝達手段と、
前記計数手段によって計数された前記第２の紙葉類の枚数に応じて前記駆動モータ及び前記電磁クラッチ・ブレーキを制御する制御手段と、
を備えたことを特徴とする紙葉類処理装置。
【請求項２】
紙葉類が一括して供給された供給部から１枚ずつ取り出して搬送し前記紙葉類を判別する紙葉類判別手段と、この紙葉類判別手段による判別結果に基づいて前記紙葉類を区分する区分手段と、この区分手段によって区分された紙葉類の枚数を計数する計数手段と、前記区分手段によって区分された紙葉類を裁断する紙葉類裁断装置を備えた紙葉類処理装置であって、
前記紙葉類判別手段は、
前記紙葉類を少なくとも再流通可能な第１の紙葉類と再流通不可能な第２の紙葉類に判別する判別機能を備え、
前記区分手段は、
前記第２の紙葉類を区分し前記紙葉類裁断装置に搬送するための分岐ゲートを備え、
前記紙葉類裁断装置は、
前記分岐ゲートによって分岐された前記第２の紙葉類を、円盤状刃を正転することによって裁断する裁断手段と、
この裁断手段に溶剤を滴下する溶剤滴下手段と、
前記裁断手段の回転軸を正転又は反転駆動する駆動モータと、
この駆動モータの駆動力を伝達する第１の伝達手段と、
この第１の伝達手段によって前記裁断手段の回転軸に伝達された駆動力を外部に伝達するために前記裁断刃の回転軸を入力軸に連結した電磁クラッチ・ブレーキと、
この電磁クラッチ・ブレーキの出力軸に連結された回転軸の駆動力を、前記分岐ゲートによって分岐された前記第２の紙葉類を前記裁断手段に搬送する搬送手段に伝達する第２の伝達手段と、
前記計数手段によって計数された前記第２の紙葉類の枚数に応じて前記駆動モータ及び前記電磁クラッチ・ブレーキを制御する制御手段と、
を備えたことを特徴とする紙葉類処理装置。
【請求項３】
紙葉類が一括して供給された供給部から１枚ずつ取り出して搬送し前記紙葉類を判別する紙葉類判別手段と、この判紙葉類別手段による判別結果に基づいて前記紙葉類を区分する区分手段と、この区分手段によって区分された紙葉類の枚数を計数する計数手段と、前記区分手段によって区分された紙葉類を裁断する紙葉類裁断装置を備えた紙葉類処理装置であって、
前記紙葉類判別手段は、
前記紙葉類を少なくとも再流通可能な第１の紙葉類と再流通不可能な第２の紙葉類に判別する判別機能を備え、
前記区分手段は、
前記第２の紙葉類を区分し前記紙葉類裁断装置に搬送するための分岐ゲートを備え、
前記紙葉類裁断装置は、
前記分岐ゲートによって分岐された前記第２の紙葉類を、円盤状刃を正転することによって裁断する裁断手段と、
この裁断手段の回転軸を正転又は反転駆動する駆動モータと、
この駆動モータの駆動力を伝達する第１の伝達手段と、
この第１の伝達手段によって前記裁断手段の回転軸に伝達された駆動力を外部に伝達するために前記裁断刃の回転軸を入力軸に連結した電磁クラッチ・ブレーキと、
この電磁クラッチ・ブレーキの出力軸に連結された回転軸の駆動力を前記分岐ゲートによって分岐された前記第２の紙葉類を前記裁断手段に搬送する搬送手段に伝達する第２の伝達手段と、
前記搬送手段と前記裁断手段との間に配置され裁断途中の紙葉類を検知するセンサと、
当該装置に障害が発生したことにより当該装置の運転が停止したとき、前記センサによって裁断途中の紙葉類が検知されたとき、この紙葉類を、前記搬送手段を停止して裁断するように前記駆動モータ及び前記電磁クラッチ・ブレーキを制御する制御手段と、
を備えたことを特徴とする紙葉類処理装置。
【請求項４】
前記裁断手段は、
複数枚の円盤状刃を軸上に積層した第１の裁断刃と、
同様に構成した第２の裁断刃と、
を備え、前記第１の裁断刃の回転軸の回転方向と前記第２の裁断刃の回転軸の回転方向とが互いに逆回転になるように回転軸が連動し、かつ、前記第１の裁断刃と前記第２の裁断刃を構成する円盤状刃が互いに入れ子状体に接触して噛み合うように配置し、前記第１の裁断刃の回転軸又は前記第２の裁断刃の回転軸の一方の回転軸に駆動力を伝達するタイミングプーリと、
を備えたことを特徴とする請求項１乃至請求項３記載の紙葉類処理装置。
【請求項５】
前記第１の伝達手段は、
前記電磁クラッチ・ブレーキの入力軸に連結された前記第１の裁断刃の回転軸又は前記第２の裁断刃の回転軸の一方の回転軸に設けられた前記タイミングプーリと、
前記駆動モータの回転軸に設けたタイミングプーリと、
これらタイミングプーリを連結し、前記駆動モータの駆動力を前記裁断手段に伝達するタイミングベルと、を備え、
前記第２の伝達手段は、
前記電磁クラッチ・ブレーキの出力軸に連結された回転軸に設けられたタイミングプーリと、
前記搬送手段を駆動する搬送ローラの回転軸に設けたタイミングプーリと、
これらタイミングプーリを連結し、前記電磁クラッチ・ブレーキの出力軸の回転力を前記搬送手段に伝達するタイミングベルトと、
を備えたことを特徴とする請求項１乃至請求項３記載の紙葉類処理装置。
【請求項６】
前記制御手段は、
前記駆動モータを正転することにより前記紙葉類を挟み込んで裁断し、又は前記駆動モータを逆転することによって前記紙葉類を開放し、さらに前記電磁クラッチ・ブレーキをオンすることにより前記駆動モータの駆動力を前記搬送手段に伝達し、又は前記電磁クラッチ・ブレーキをオフすることによって前記搬送手段を停止する機能を有することを特徴とする請求項１乃至請求項３記載の紙葉類処理装置。
【請求項７】
搬送手段によって１枚ずつ搬送される紙葉類を裁断する紙葉類裁断装置であって、
円盤状刃を正転することによって前記紙葉類を裁断する裁断手段と、
この裁断手段の回転軸を正転又は反転駆動する駆動モータと、
この駆動モータの駆動力を伝達する第１の伝達手段と、
この第１の伝達手段によって前記裁断手段の回転軸に伝達された駆動力を外部に伝達するために前記裁断刃の回転軸を入力軸に連結した電磁クラッチ・ブレーキと、
この電磁クラッチ・ブレーキの出力軸に連結された回転軸の駆動力を、前記紙葉類を裁断するために搬送する搬送手段に伝達する第２の伝達手段と、
前記駆動モータ及び前記電磁クラッチ・ブレーキを制御する制御手段と、
を備えたことを特徴とする紙葉類裁断装置。
【請求項８】
搬送手段によって１枚ずつ搬送される紙葉類を裁断する紙葉類裁断装置の駆動方法であって、
前記裁断手段の目詰まりを防止するために前記裁断手段を第１の回転速度で第１の時間逆転する第１の工程と、
この第１の工程後、前記裁断手段を第１の回転速度で第１の時間正転する第２の工程と、
を有する裁断刃制御パターンを備えたことを特徴とする紙葉類裁断装置の駆動方法。
【請求項９】
搬送手段によって１枚ずつ搬送される紙葉類を裁断する紙葉類裁断装置の駆動方法であって、
前記裁断手段の目詰まりを防止するために前記裁断手段を第１の回転速度で第１の時間逆転する第１の工程と、
この第１の工程後、前記裁断手段を前記第１の回転速度よりは早い第２の回転速度で前記第１の時間よりは長い第２の時間正転する第２の工程と、
この第２の工程後、前記裁断手段を前記第２の回転速度よりは早い第３の回転速度で第３の時間逆転する第３の工程と、
この第３の工程後、前記裁断手段を前記第３の回転速度よりは早い第４の回転速度で前記第３の時間よりは長い第４の時間正転する第４の工程と、
を有する裁断刃制御パターンを備えたことを特徴とする紙葉類裁断装置の駆動方法。
【請求項１０】
搬送手段によって１枚ずつ搬送される紙葉類を裁断する紙葉類裁断装置の駆動方法であって、
紙葉類を一括して供給した際に裁断処理した前回の裁断枚数又は累計裁断枚数によって請求項７記載の裁断刃制御パターン若しくは請求項８記載の裁断刃制御パターン、又は溶剤滴下手段による溶剤滴下工程を選択的に行うことを特徴とする請求項８又は請求項９記載の紙葉類裁断装置の駆動方法。
【発明の詳細な説明】
【技術分野】
【０００１】
本発明は、有価証券などの紙葉類を処理する紙葉類処理装置、紙葉類処理装置に搭載された紙葉類裁断装置及び紙葉類裁断装置の駆動方法に関する。
【背景技術】
【０００２】
図９に、従来の紙葉類裁断装置の内部構成を示す。この紙葉類裁断装置は、搬送される紙葉類を裁断する装置で単独に用いられる場合と、有価証券などの紙葉類を紙葉類判別装置で判別し、その判別結果に基づいて紙葉類を区分する紙葉類処理装置に組み込まれて用いられる場合がある。ここでは、後者の場合についてその従来技術を述べる。
【０００３】
有価証券などの紙葉類を処理する紙葉類処理装置は、一括して投入された紙葉類を一定間隔に１枚ずつ取り出して搬送し、紙葉類判別装置によって当該紙葉類の種類（以下、券種と称する。）判別、搬送方向判別、真偽判別（真券か偽券か）及び正損判別（再流通可能な正券か、再流通不可能な損券か）を行い、この判別結果に基づいて紙葉類を区分し、集積・施封装置、裁断装置などに振り分けて処理する装置である。
【０００４】
この際、損券と判別された紙葉類は、紙葉類裁断装置によって裁断される。従来の紙葉類裁断装置は、紙葉類の裁断処理を行う円盤状の裁断刃６１２０、この裁断刃６１２０の回転軸と同軸上に固定されたタイミングプーリ、駆動用モータ６１４０、及びこのタイミングプーリと駆動用モータを連結しタイミングプーリに駆動力を伝達するタイミングベルトＡ６１３０で構成され裁断刃６１２０が回転して紙葉類Pを裁断する。
【０００５】
また、上記タイミングプーリと紙葉類を紙葉類裁断装置に取り込むための搬送ベルトを駆動する搬送ローラの回転軸に固定された搬送ローラタイミングプーリを連結するタイミングベルトＢ６２００が備えられており、裁断刃の回転に伴って紙葉類を紙葉類裁断装置に導く方向に搬送ベルトが回転するように構成されている。
【０００６】
紙葉類処理装置としての装置の大きさや消費電力による積載可能な駆動モータ数やその容量には制限があり、紙葉類裁断装置の周辺に関しては、裁断刃の直前の搬送路上にある紙葉類は必ず裁断しなければならないというセキュリティ上の制約から、駆動モータによる駆動時は、直前の搬送ベルトの搬送方向は、裁断刃へ向かう方向（正方向）のみに限定する必要があり、さらに紙葉類の裁断条件として裁断刃の回転と紙葉類の搬送速度が同期していることが必要であることから、例えば図示したように裁断刃駆動用モータからタイミングベルトＢ及び搬送ベルト駆動ローラを介して搬送ベルトを正方向（正回転）に動かして紙葉類を搬送し裁断処理しており、この種の紙葉類裁断装置が知られている（例えば、特許文献１参照。）。
【特許文献１】特開２００２−１９２００２号公報  （第５−６頁、図１）
【発明の開示】
【発明が解決しようとする課題】
【０００７】
しかしながら、特許文献１記載の紙葉類処理装置では、搬送ベルト速度と裁断刃回転速度との同期及び装置全体の大きさをコンパクト化することを目的に駆動軸を一体化しているため、裁断刃は通常搬送方向と同一の正回転のみで単独で正転又は逆転させることができない。このような裁断刃の一方向（正転）のみの回転では裁断片の目詰まりや粘着物の蓄積も起こりやすく、回転負荷増加によって裁断刃が回転停止する場合があるという課題がある。このような場合には、手動で裁断刃を正転又は逆転させることにより、目詰まりしている裁断片を取り除き、負荷を軽減している。
【０００８】
上述した手動によらないでこの種の課題を解決する方法として、裁断刃を回転させる駆動モータの駆動力を大きくするという方法がある。しかしながらこの場合は、消費電力が大きくなるだけでなく大きなスペースが必要になるという課題があった。
【０００９】
また、上述したように裁断刃が裁断途中で停止してしまうと、裁断途中の紙葉類が生成され、裁断されるべき紙葉類なのか、裁断されるべきでない紙葉類なのかその後の判断が難しく、通常のジャム処理後の初期化処理の際であっても、裁断刃を回転しないで操作員の判断にゆだねられているという課題がある。すなわち、紙葉類裁断装置が目詰まりなどによって停止した場合はその後の処理が複雑になるという課題があった。
【００１０】
本発明は、上記問題を解決するためになされたもので、紙葉類裁断装置の目詰まりが発生しにくい紙葉類裁断装置を提供することを目的とする。
【課題を解決するための手段】
【００１１】
上記目的を達成するために、本発明の請求項１記載の紙葉類処理装置は、紙葉類が一括して供給された供給部から１枚ずつ取り出して搬送し前記紙葉類を判別する紙葉類判別手段と、この判紙葉類別手段による判別結果に基づいて前記紙葉類を区分する区分手段と、この区分手段によって区分された紙葉類の枚数を計数する計数手段と、前記区分手段によって区分された紙葉類を裁断する紙葉類裁断装置を備えた紙葉類処理装置であって、前記紙葉類判別手段は、前記紙葉類を少なくとも再流通可能な第１の紙葉類と再流通不可能な第２の紙葉類に判別する判別機能を備え、前記区分手段は、前記第２の紙葉類を区分し前記紙葉類裁断装置に搬送するための分岐ゲートを備え、前記紙葉類裁断装置は、前記分岐ゲートによって分岐された前記第２の紙葉類を、円盤状刃を正転することによって裁断する裁断手段と、この裁断手段の回転軸を正転又は反転駆動する駆動モータと、この駆動モータの駆動力を伝達する第１の伝達手段と、この第１の伝達手段によって前記裁断手段の回転軸に伝達された駆動力を外部に伝達するために前記裁断刃の回転軸を入力軸に連結した電磁クラッチ・ブレーキと、この電磁クラッチ・ブレーキの出力軸に連結された回転軸の駆動力を前記分岐ゲートによって分岐された前記第２の紙葉類を前記裁断手段に搬送する搬送手段に伝達する第２の伝達手段と、前記計数手段によって計数された前記第２の紙葉類の枚数に応じて前記駆動モータ及び前記電磁クラッチ・ブレーキを制御する制御手段と、を備えたことを特徴とする。
【００１２】
また、本発明の請求項２記載の紙葉類処理装置は、紙葉類が一括して供給された供給部から１枚ずつ取り出して搬送し前記紙葉類を判別する紙葉類判別手段と、この紙葉類判別手段による判別結果に基づいて前記紙葉類を区分する区分手段と、この区分手段によって区分された紙葉類の枚数を計数する計数手段と、前記区分手段によって区分された紙葉類を裁断する紙葉類裁断装置を備えた紙葉類処理装置であって、前記紙葉類判別手段は、前記紙葉類を少なくとも再流通可能な第１の紙葉類と再流通不可能な第２の紙葉類に判別する判別機能を備え、前記区分手段は、前記第２の紙葉類を区分し前記紙葉類裁断装置に搬送するための分岐ゲートを備え、前記紙葉類裁断装置は、前記分岐ゲートによって分岐された前記第２の紙葉類を、円盤状刃を正転することによって裁断する裁断手段と、この裁断手段に溶剤を滴下する溶剤滴下手段と、前記裁断手段の回転軸を正転又は反転駆動する駆動モータと、この駆動モータの駆動力を伝達する第１の伝達手段と、この第１の伝達手段によって前記裁断手段の回転軸に伝達された駆動力を外部に伝達するために前記裁断刃の回転軸を入力軸に連結した電磁クラッチ・ブレーキと、この電磁クラッチ・ブレーキの出力軸に連結された回転軸の駆動力を、前記分岐ゲートによって分岐された前記第２の紙葉類を前記裁断手段に搬送する搬送手段に伝達する第２の伝達手段と、前記計数手段によって計数された前記第２の紙葉類の枚数に応じて前記駆動モータ及び前記電磁クラッチ・ブレーキを制御する制御手段と、を備えたことを特徴とする。
【００１３】
また、本発明の請求項３記載の紙葉類処理装置は、紙葉類が一括して供給された供給部から１枚ずつ取り出して搬送し前記紙葉類を判別する紙葉類判別手段と、この紙葉類判別手段による判別結果に基づいて前記紙葉類を区分する区分手段と、この区分手段によって区分された紙葉類の枚数を計数する計数手段と、前記区分手段によって区分された紙葉類を裁断する紙葉類裁断装置を備えた紙葉類処理装置であって、前記紙葉類判別手段は、前記紙葉類を少なくとも再流通可能な第１の紙葉類と再流通不可能な第２の紙葉類に判別する判別機能を備え、前記区分手段は、前記第２の紙葉類を区分し前記紙葉類裁断装置に搬送するための分岐ゲートを備え、前記紙葉類裁断装置は、前記分岐ゲートによって分岐された前記第２の紙葉類を、円盤状刃を正転することによって裁断する裁断手段と、この裁断手段の回転軸を正転又は反転駆動する駆動モータと、この駆動モータの駆動力を伝達する第１の伝達手段と、この第１の伝達手段によって前記裁断手段の回転軸に伝達された駆動力を外部に伝達するために前記裁断刃の回転軸を入力軸に連結した電磁クラッチ・ブレーキと、この電磁クラッチ・ブレーキの出力軸に連結された回転軸の駆動力を前記分岐ゲートによって分岐された前記第２の紙葉類を前記裁断手段に搬送する搬送手段に伝達する第２の伝達手段と、前記搬送手段と前記裁断手段との間に配置され裁断途中の紙葉類を検知するセンサと、当該装置に障害が発生したことにより当該装置の運転が停止したとき、前記センサによって裁断途中の紙葉類が検知されたとき、この紙葉類を、前記搬送手段を停止して裁断するように前記駆動モータ及び前記電磁クラッチ・ブレーキを制御する制御手段と、を備えたことを特徴とする。
【００１４】
さらに、本発明の請求項７記載の紙葉類裁断装置は、搬送手段によって１枚ずつ搬送される紙葉類を裁断する紙葉類裁断装置であって、円盤状刃を正転することによって前記紙葉類を裁断する裁断手段と、この裁断手段の回転軸を正転又は反転駆動する駆動モータと、この駆動モータの駆動力を伝達する第１の伝達手段と、この第１の伝達手段によって前記裁断手段の回転軸に伝達された駆動力を外部に伝達するために前記裁断刃の回転軸を入力軸に連結した電磁クラッチ・ブレーキと、この電磁クラッチ・ブレーキの出力軸に連結された回転軸の駆動力を、前記紙葉類を裁断するために搬送する搬送手段に伝達する第２の伝達手段と、前記駆動モータ及び前記電磁クラッチ・ブレーキを制御する制御手段と、を備えたことを特徴とする。
【００１５】
さらにまた、本発明の請求項８記載の紙葉類裁断装置の駆動方法は、搬送手段によって１枚ずつ搬送される紙葉類を裁断する紙葉類裁断装置の駆動方法であって、紙葉類を一括して供給した際に裁断処理した前回の裁断枚数又は累計裁断枚数によって請求項７記載の裁断刃制御パターン若しくは請求項８記載の裁断刃制御パターン、又は溶剤滴下手段による溶剤滴下工程を選択的に行うことを特徴とする。
【発明の効果】
【００１６】
本発明によれば、紙葉類裁断装置の目詰まりによる停止などの障害を低減した紙葉類処理装置、紙葉類裁断装置及び紙葉類裁断装置の駆動方法を提供することができる。
【発明を実施するための最良の形態】
【００１７】
以下、図面を参照して本発明の実施例を説明する。
【実施例１】
【００１８】
図１は、本発明の実施例１による紙葉類裁断装置６０を搭載した紙葉類処理装置１の概略構成図である。最初に、図１を参照して紙葉類処理装置１の構成について説明する。紙葉類処理装置１は、紙幣などの紙葉類Ｐの真偽（真券か偽券か）又は正損（再流通可能な正券（第１の紙葉類）か再流通不可能な損券（第２の紙葉類）か）を判別し、正券は紙葉類Ｐの種類ごとに集積・施封装置３０〜３３で区分して集積したのち１００枚毎に紙帯で結束して把を形成する。このようにして形成された把はコンベア７０に排出されリフタ７０Ａで持ち上げられて１０把毎に集積され大帯結束装置７１によってさらに結束される。一方、損券は紙葉類裁断装置６０で裁断し、裁断片を気送管により装置外に排出する。排出された裁断片は、収納箱（図示しない）に収集される。以下、詳細に説明する。
【００１９】
上記紙葉類処理装置１には、積載された紙葉類Ｐを一括して供給する供給部１０が設けられている。この供給部１０に積載された紙葉類Ｐは、取出ローラ１０Ａによって一定間隔で１枚ずつ取り出され、搬送路（搬送手段）２０に供給される。この取出ローラ１０Ａは、１回転する毎に紙葉類Ｐを１枚取り出す。この搬送路２０は、搬送ローラ（図示しない）と搬送ベルト（図示しない）で構成され、紙葉類Ｐを搬送方向上流から下流に向かって搬送する。
【００２０】
このようにして、取出ローラ１０Ａによって供給部１０から供給された紙葉類Ｐは紙葉類判別部（紙葉類判別手段）５０によって判別される。紙葉類判別部５０は、紙葉類Ｐの物理的特性を検知して判別するもので複数の紙葉類判別装置５２Ａ〜５６で構成されており、搬送方向下流に向かって搬送路２０に設けられている。また、これら紙葉類判別装置５２Ａ〜５６の判別結果に基づいて区分手段により正券、損券及び排除券に区分される。正券は分岐ゲートＧ３０〜Ｇ３２によって券種毎に集積・施封装置３０〜３３区分され、損券は分岐ゲートＧ６０によって紙葉類裁断装置６０に区分され、排除券は排除券集積装置４０に区分される。
【００２１】
取出検知部５１は、供給部１０から供給された紙葉類Ｐの取出状態を検知し検知結果を制御部（制御手段）２に通知する。この取出状態の検知結果が、例えば、複数枚取り出し、搬送ピッチ詰まりなどの場合は、搬送方向下流に搬送して処理する振分ゲートで振り分けられないなどの障害が発生しやすいため、搬送異常を制御部２に通知される。制御部２は、この取出異常の通知を受信し、当該紙葉類Ｐの搬送方向を振り分ける振り分けゲートＧ４０を左に回動することによって当該紙葉類Ｐを搬送路２１に沿って搬送させ排除券集積部４１に集積する。この排除券集積部４１に集積された紙葉類Ｐは再供給することが可能である。
【００２２】
紙葉類判別装置５２Ａ〜５２Ｂは、紙葉類Ｐの券種判別又は正損判別機能を有している。券種判別は、紙葉類Ｐが日本紙幣の場合は千円、２千円、５千円、万円からなる金種と搬送状態（正立／倒立、表／裏）を判別する。また、正損判別は紙葉類が正券（第１の紙葉類）か損券（第２の紙葉類）かを判別する。
【００２３】
紙葉類判別装置５２Ｃは、紙葉類Ｐの形状検知機能を有しており、紙葉類Ｐの長さ、幅、穴、破れなどを検知し検知結果を制御部２に通知する。当該紙葉類Ｐの長さ、幅が設定券種の設定値を超える場合は排除券となる。また、当該紙葉類Ｐの穴、破れ、切れなどが設定値を超える場合は損券となる。
【００２４】
紙葉類判別装置５４Ａ、５４Ｂは、紙葉類Ｐの磁気検知機能を有しており、紙葉類Ｐの磁性体量を検知し検知結果を制御部２に通知する。当該紙葉類Ｐの磁性体量が設定値を超える場合、又は当該紙葉類の所定の箇所に所定の磁性体量が存在しない場合は排除券となる。
【００２５】
紙葉類判別装置５４Ｃ、５４Ｄは、紙葉類Ｐの蛍光検知機能を有しており、紙葉類Ｐの蛍光体量を検知し検知結果を制御部２に通知する。当該紙葉類Ｐの蛍光体が設定値を超える場合、又は当該紙葉類の所定の箇所に所定の蛍光体量が存在しない場合は排除券となる。
【００２６】
紙葉類判別装置５５は、紙葉類Ｐの厚さ検知機能を有しており、紙葉類Ｐの厚さを検知し検知結果を制御部２に通知する。当該紙葉類Ｐの厚さが設定値を超える場合は排除券となる。
【００２７】
紙葉類判別装置５６は、テープ貼り検知機能を有しており、紙葉類Ｐに張り付いたテープを検知する。テープ貼りの大きさが設定値以内であれば損券となり、設定値を超える場合は排除券となる。
【００２８】
上記紙葉類判別装置５２Ａ〜５６の処理の結果、正券は集積・施封装置３０〜３３に供給され、損券は紙葉類裁断装置６０に供給され、排除券は排除券集積装置４０に供給される。
【００２９】
集積・施封装置３０〜３３は同様に構成されているため、ここでは集積・施封装置３０の説明を行う。集積・施封装置３０は、集積羽根車３０Ａ、集積部３０Ｂ及び施封部３０Ｃを備えている。集積・施封装置３１〜３３は、集積・施封装置３０と同様に構成されている。このように構成された集積・施封装置の動作を以下に説明する。
【００３０】
集積・施封装置３０には、上記紙葉類判別装置５２Ａ〜５６の処理の結果正券と判別された紙葉類Ｐの最初の１００枚が集積される。このときは、振り分けゲートＧ３０が右に回動され、当該紙葉類Ｐは搬送路２２を搬送されて集積羽根車３０Ａを備えた集積・施封装置３０の集積部３０Ｂに集積される。１００枚の通過と共に、振り分けゲートＧ３０を左側に回動し紙葉類Ｐが続けて集積されるのを防止すると共に、振り分けゲートＧ３１を右側に回動し、続けて搬送される１０１枚以降の正券の紙葉類Ｐを集積・施封装置３１に搬送するようにする。上記集積・施封装置３０の集積部３０Ｂに集積された正券１００枚の紙葉類Ｐは施封部３０Ｃに渡され、図示しない紙帯で施封されて把が形成される。同様に、集積・施封装置３１の集積部３１Ｂに集積された正券が１００枚に達すると、振り分けゲートＧ３１を左側に回動し、紙葉類Ｐが続けて集積されるのを防止すると共に振り分けゲートＧ３０を右側に回動し、次の１００枚を集積・施封装置３０の集積部３０Ｂに集積する。
【００３１】
集積・施封装置３２、３３は、集積・施封装置３０、３１で処理されるのとは異なる券種の集積に使用される。また、上記１００枚毎に紙帯で施封された把はコンベア７０によって左側に搬送され、リフタ７０Ａで持ち上げられてストラップスタッカ７１に集積され、１０把にさらに結束される。
【００３２】
排除券集積装置４０は、紙葉類判別装置５０によって排除された紙葉類Ｐを集積するもので、集積羽根車４０Ａ、排除券集積部４０Ｂを備えている。そして、搬送路２２に沿って搬送されてきた紙葉類Ｐを集積羽根車４０Ａで受け取り、排除券集積部４０Ｂに集積する。
【００３３】
図２は、紙葉類裁断装置６０の主要部分を示す正面図である。また、図３は、紙葉類裁断装置の機構図である。紙葉類裁断装置は、紙葉類を裁断するカッターブロック部６１及び気送管６３で構成される。
【００３４】
カッターブロック部６１は、紙葉類Pを裁断する裁断刃部（裁断手段）とこの裁断刃部を駆動する駆動部で構成される。
【００３５】
裁断刃部は、円盤状の刃を同軸上に積層した一方の裁断刃６１１と、同様に構成した他方の裁断刃６１２の刃部分が入れ子状に組み合わせられ、回転可能にカッターブロック本体に配置されている。
【００３６】
駆動部は、駆動用モータ（駆動モータ）６１４及びこの駆動用モータ６１４の駆動力を伝達する第１の伝達手段で構成され、駆動用モータは上記制御手段によって正転又は逆転が可能に制御される。詳細は後述する。
【００３７】
気送管６３は、カッターブロック部６１で裁断した紙葉類Ｐの裁断片を紙葉類処理装置１の機体外に排出する装置で、高速に裁断された際に発生する裁断片及び紙粉が舞い上がり紙葉類処理装置内に逆流しないように外部から吸引するようになっている。
【００３８】
図３は、本実施例の紙葉類裁断装置６０のカッターブロック部６１の機構図である。図３（Ａ）はカッターブロック部６１の主要部分の側面図で、図３（Ｂ）は、カッターブロック部６１の主要部分の正面図である。カッターブロック部６１は、裁断刃部及びこの裁断刃部を駆動する駆動部で構成されている。
【００３９】
裁断刃部は、複数枚の円盤状刃を軸６１１Ａ上に積層し、軸を中心に回転可能に構成した裁断刃（第１の裁断刃）６１１と、同様に構成した円盤状刃を軸６１２Ａ上に積層し、軸を中心に回転可能に構成した裁断刃（第２の裁断刃）６１２で構成される。これらの裁断刃６１１及び６１２が、互いにかみ合うように配置されている。裁断刃６１１及び６１２は、図示しない歯車によって連結されており同軸駆動する。実施例では、裁断刃６１１を駆動することにより、裁断刃６１２がかみ合うように逆回転する。
【００４０】
第１の伝達手段は、上記裁断刃６１１の軸６１１Ａに取り付けられた裁断軸第１プーリ（タイミングプーリ）６１１Ｂ及び駆動用モータ６１４の回転軸に組み込んだタイミングプーリ６１４Ａと、これらタイミングプーリを連結するタイミングベルト６１３で構成さている。このように構成したことによって、駆動用モータ６１４を駆動することによりその駆動力がタイミングベルトにより裁断刃６１１に伝達される。裁断刃６１１と裁断刃６１２が連結されており、裁断刃６１１が回転することにより裁断刃６１２が回転することは上述した通りである。
【００４１】
本実施例の特徴は、上述した裁断刃６１１の回転軸６１１Ａの略中央に電磁クラッチ・ブレーキ６１７が備えられており、裁断軸第１プーリ６１１Ｂは電磁クラッチ・ブレーキ６１７の入力の軸と連動しており、電磁クラッチ・ブレーキ６１７の出力側の軸には裁断軸第２プーリ６１１Ｃが接続されている。
【００４２】
第２の伝達手段は、裁断軸第２プーリ６１１Ｃと、搬送ベルト駆動ローラ６２１の回転軸に組み込まれたタイミングプーリ６２１Ａと、これらタイミングプーリを連結するタイミングベルトＢ６２０で構成されている。上述したように駆動用モータ６１４が回転することにより裁断刃６１１及び６１２が紙葉類Ｐを裁断する方向に回転するとともに搬送ベルト駆動ローラ６２１が回転し、搬送ベルト６２２が紙葉類Pを裁断する方向に搬送する。搬送された紙葉類Ｐは裁断刃６１１及び６１２によって裁断され裁断片Ｄとなる。
【００４３】
図４は、紙葉類裁断装置の駆動方法であって紙葉類裁断装置６０の裁断刃６１１及び６１２の目詰まり防止のための裁断刃制御パターンの一例である。上述した電磁クラッチ・ブレーキ６１７のオン／オフによって一時的に搬送ベルト６２２と裁断刃６１１及び６１２の連動を分離することにより、裁断刃６１１及び６１２で構成された裁断刃部（裁断手段）を単独で正転又は逆転制御することが可能になる。
【００４４】
図４（Ａ）は、裁断刃制御パターン１の例である。紙葉類処理装置１の運転開始前に裁断手段を回転速度２００ｒｐｍ（第１の回転速度）で４ｓ（第１の時間）逆転する（第１の工程）。
【００４５】
この第１の工程終了後、裁断手段を回転速度２００ｒｐｍ（第１の回転速度）で４ｓ（第１の時間）正転する（第２の工程）。
【００４６】
このようにすることによって、裁断手段を構成する裁断刃６１１及び６１２の目詰まりを防止することができる。紙葉類Pの裁断は正転して行うので、目詰まりを防止するためには最初に逆転して目詰まりを起こしている紙葉類を開放し、続けて正転することによって開放された紙葉類を裁断して排出することが効果的である。
【００４７】
図４（Ｂ）は、裁断刃制御パターン２の例である。紙葉類処理装置１の運転開始前に裁断手段を回転速度５０ｒｐｍ（第１の回転速度）で２ｓ（第１の時間）逆転する（第１の工程）。
【００４８】
この第１の工程終了後、裁断手段を回転速度１００ｒｐｍ（第２の回転速度）で３ｓ（第２の時間）正転する（第２の工程）。
【００４９】
この第２の工程終了後、回転速度１５０ｒｐｍ（第３の回転速度）で２ｓ（第１の時間）逆転する（第３の工程）。
【００５０】
この第３の工程終了後、裁断手段を回転速度２００ｒｐｍ（第４の回転速度）で４ｓ（第３の時間）正転する（第４の工程）。
【００５１】
この方法は、目詰まりによる負荷が大きい場合には、裁断手段が回転しにくくなっているため、最初に低速で逆転し、続けて少し回転速度を逆転時間よりは長い時間正転する。この工程によって目詰まりが改善されてくるため、さらに回転速度を上げ逆転する。次に、さらに回転速度を上げて正転して紙葉類を裁断して排出する方法である。
【００５２】
以上のように裁断刃６１１及び６１２（裁断手段）を単独で運転する裁断刃制御パターンを複数用意し、さらに紙葉類処理装置１の記憶している情報、例えば、前回裁断した紙葉類Ｐの種類やそのとき裁断した枚数（前回の裁断枚数）、又はある一定期間における装置累計での裁断した枚数（累計裁断枚数）などを利用して、粘着物付着率が高いある特定券種の紙葉類Ｐを裁断した後の初期化動作時には念入りに負荷を軽減させるような裁断刃制御パターン運転を複数用意した裁断刃制御パターンから選択して行うことが可能になる。
【００５３】
以上述べたように、本発明によれば、裁断した紙葉類の種類や枚数に応じて最適な裁断把制御パターンを用いることができるので裁断刃の目詰まりが発生しにくい紙葉類裁断装置を提供することができる。
【実施例２】
【００５４】
図５は、本発明の実施例２による紙葉類裁断装置６０のカッターブロック部６１Ａの機構図である。図５（Ａ）はカッターブロック部６１の主要部分の側面図で、図５（Ｂ）は、カッターブロック部６１の主要部分の正面図である。本実施例２に示す溶剤自動滴下機構部６２３以外の部分は実施例１と同様であるため、その説明を略し変更になった部分の説明を行う。
【００５５】
この溶剤自動滴下機構部６２３は、裁断刃６１１及び６１２に付着した粘着物を溶かし切れ味を保つための溶剤を入れる溶剤タンク６２３Ａ、この溶剤を注入するためのポンプ６２３Ｂ、及びこのポンプ６２３Ｂによって注入された溶剤を裁断刃６１１又は６１２まで導く中空管によって構成される。このような構成によって、裁断後の初期化動作時に上述した目詰まり防止動作に合わせて溶剤を注入することによって、裁断刃の切れ味を長時間にわたって確保することができる。なお、この種の溶剤が必要な理由は、裁断する紙葉類は損券であり、紙葉類自体が汚れている場合が多いのと、紙葉類にテープなどが貼りついているものを裁断するためにそのテープ又はその糊が裁断刃６１１又は６１２に付着することによる汚れによって切れ味が悪くなるのを防止するためである。従って、当該溶剤はテープ剥がしの効果を有する溶剤が使用される。
【００５６】
また、この方法を、上述した実施例１による前回裁断枚数又は累計裁断枚数によって裁断刃の利用状況を把握し、紙葉類処理装置の初期化動作時に目詰まり防止運転に合わせて溶剤の注入を行うことによって、裁断刃の切れ味が悪くなるのを防止できる。
【００５７】
図６は、本実施例２による紙葉類裁断装置の駆動方法である裁断刃制御パターン（パターン１〜パターン３）及び溶剤自動滴下の制御の一例である。以下、紙葉類の種類としてＡ、Ｂ、Ｃ及びＤの4種類あり、その粘着物付着率が下式（１）で示され、裁断刃制御パターンの複雑さが下式（２）で示される場合に付いて説明する。なお、裁断刃制御パターンは上述した図４（Ａ）に比べて図４（Ｂ）が複雑になっており、複雑になる場合の方が裁断刃の目詰まり防止及び裁断刃の汚れを防止する効果が大きい。  
粘着物付着率    ：Ａ＞Ｂ＞Ｃ＞Ｄ・・・・・・・・・・・・・・・・・  （１）
Ａ、Ｂ、Ｃ、Ｄ  ：紙葉類の種類
裁断刃制御パターンの複雑さ：パターン１＜パターン２＜パターン３・・・（２）
裁断刃制御パターン及び溶剤自動滴下するタイミングの設定方法は、紙葉類の種類及び裁断枚数若しくは累計裁断枚数に応じて裁断刃制御パターン及び溶剤自動滴下のタイミングを選択する。図示した例では、前回の裁断枚数が多くなるに従い複雑な裁断刃制御パターンを用いる。また、累計裁断枚数が所定の値に達する毎に溶剤自動滴下を行う。すなわち、紙葉類処理装置１で紙葉類の種類がＡである紙葉類を一括処理した際に裁断した裁断枚数（前回の裁断枚数）が１０００枚以下（〜１０３）の場合は裁断刃制御パターン２による目詰まり防止を行う。同一券種の処理がさらに継続され、そのときの裁断枚数が１００００枚（１０４枚〜）の場合は裁断刃制御パターン３による目詰まり防止を行う。通常の裁断処理中はこのような方法によって目詰まり防止を行うが、その累計裁断枚数が１００万枚（１０６枚毎）に達した場合は、裁断刃制御パターン１による目詰まり防止と溶剤自動滴下の処理を行う。
【００５８】
紙葉類の種類がＡ以外の場合も同様に前回の裁断枚数及び累計裁断枚数によって裁断刃制御パターン及び溶剤自動滴下するタイミングが選択される。
【００５９】
以上述べたように、本発明によれば、実施例１の効果に加えて、溶剤によって粘着物を溶かすことができるため、裁断刃の目詰まり防止によいり効果がある。
【実施例３】
【００６０】
図７は、本発明の実施例３による強制裁断を説明する図である。本実施例３は、搬送ベルト６２２によって搬送された紙葉類を裁断刃６１１及び６１２に受け渡す間に紙葉類を検知するセンサ６２５を設けた以外は、実施例１と同様であるため、その説明を略し変更になった部分の説明を行う。
【００６１】
本実施例は、突発的な搬送ジャムなどによって紙葉類処理装置１の運転が停止したことにより裁断途中の紙葉類Ｐが裁断されずに残った場合又は残りそうになりセンサ６２５によって検知された場合、電磁クラッチ・ブレーキ６１７によって裁断刃と搬送ベルト６２２の同期を切り離し、裁断刃６１１及び６１２を単独で正回転する。この結果、裁断途中の紙葉類は強制的に裁断される。
【００６２】
図８は、本発明の実施例３による紙葉類の搬送を停止した強制裁断を説明するである。この場合は、電磁クラッチ・ブレーキ６１７により裁断刃６１１及び６１２と搬送ベルト６２２の同期が切り離されているため搬送ベルト６２２は停止しているが、裁断刃６１１及び６１２が裁断途中になった紙葉類Ｐを強制的に裁断する。
【００６３】
以上述べたように、本発明によれば、紙葉類処理装置１のジャムなどにより裁断すべき紙葉類が裁断装置６０に残留することがなくなりジャム発生時に操作員が残留紙葉類の判断に迷うことがなくなることによりセキュリティが向上する。
【図面の簡単な説明】
【００６４】
【図１】本発明の実施例１による紙葉類裁断装置を搭載した紙葉類処理装置の概略構成図。
【図２】図１に示す紙葉類裁断装置の主要部分を示す正面図。
【図３】図２に示す紙葉類裁断装置のカッターブロック部の構成図。
【図４】図４は、紙葉類裁断装置の駆動方法である裁断刃制御パターンの一例。
【図５】本発明の実施例２による紙葉類裁断装置６０のカッターブロック部６１Ａの機構図。
【図６】本発明の実施例２による紙葉類裁断装置の駆動方法である裁断刃制御パターン及び溶剤自動滴下の制御の一例。
【図７】本発明の実施例３による強制裁断を説明する図。
【図８】本発明の実施例３による紙葉類の搬送を停止した強制裁断を説明する図。
【図９】紙葉類裁断装置の従来例。
【符号の説明】
【００６５】
Ｐ  紙葉類
Ｄ  裁断片
Ｇ６０  分岐ゲート
１  紙葉類処理部
１０  供給部
３０〜３３  集積・施封装置
４０  排除券集積装置
５２Ａ〜５６  紙葉類判別装置
６０  紙葉類裁断装置
６１、６１Ａ、６１Ｂ  カッターブロック
６１１、６１２  裁断刃
６１１Ａ  軸
６１１Ｂ  裁断軸第１プーリ
６１１Ｃ  裁断軸第２プーリ
６１３  タイミングベルトＡ
６１４  駆動用モータ
６１７  電磁クラッチ・ブレーキ
６２０  タイミングベルトＢ
６２１  搬送ベルト駆動ローラ
６２１Ａ  タイミングプーリ
６２２  搬送ベルト
６２３  溶剤自動滴下機構
６２３Ａ  溶剤タンク
６２３Ｂ  ポンプ
６２５  センサ
６３  気送管
【図１】
2007252980.tif 000003
【図２】
2007252980.tif 000004
【図３】
2007252980.tif 000005
【図４】
2007252980.tif 000006
【図５】
2007252980.tif 000007
【図６】
2007252980.tif 000008
【図７】
2007252980.tif 000009
【図８】
2007252980.tif 000010
【図９】
2007252980.tif 000011